(57)【要約】【課題】衝撃荷重でコンクリート床版が破壊されても、そのコンクリートの破片の落下を抑制することができるＲＣ床版形成方法を提供することを目的とする。【解決手段】構造物を構成する水平部材にデッキプレートを架け渡し、該デッキプレートの端部を前記水平部材に接合して、当該デッキプレートの上面にコンクリートを打設する。【選択図】図２
2020066944.tif 000002
【特許請求の範囲】
【請求項１】
構造物を構成する水平部材にデッキプレートを架け渡し、該デッキプレートの端部を前記水平部材に接合して、当該デッキプレートの上面にコンクリートを打設するＲＣ床版形成方法。
【請求項２】
構造物を構成する水平部材にデッキプレートを架け渡し、該デッキプレートの上面にコンクリートを打設する際に、前記デッキプレートの端部を前記水平部材の上で前記コンクリートに埋設させるＲＣ床版形成方法。
【請求項３】
構造物を構成する水平部材にデッキプレートを架け渡し、前記デッキプレートを前記水平部材に繋ぎ止める保持部で前記デッキプレートの端部と前記水平部材とを繋いで、前記デッキプレートの上面にコンクリートを打設するＲＣ床版形成方法。
【発明の詳細な説明】
【技術分野】
【０００１】
本発明は、ＲＣ床版形成方法に関する。より詳しくは、鉄筋コンクリート（Ｒｅｉｎｆｏｒｃｅｄ Ｃｏｎｃｒｅｔｅ）を用いた床版（ＲＣ床版）に関する。
【背景技術】
【０００２】
従来、デッキプレート上にコンクリートを打設して形成したコンクリート床版が知られている（例えば、特許文献１参照）。
【０００３】
このコンクリート床版では、アンカー金物が端部に取り付けられたデッキプレート上にコンクリートを打設することで、デッキプレートがコンクリート層から脱落しないように構成されている。
【０００４】
また、フラットデッキプレート上にコンクリートを打設して形成したコンクリート床版が知られている（例えば、特許文献２参照）。
【０００５】
このコンクリート床版では、アンカー部材が固定されたフラットデッキプレート上にコンクリートを打設することで、フラットデッキプレートがコンクリート床版から脱落しないように構成されている。
【先行技術文献】
【特許文献】
【０００６】
【特許文献１】特開平１１−１５９０４２号公報
【特許文献２】実開昭６０−６８１１１号公報
【発明の概要】
【発明が解決しようとする課題】
【０００７】
しかしながら、これらのコンクリート床版にあっては、衝撃荷重が作用したとき、コンクリート床版からのデッキプレートの脱落は抑制できるものの、梁からデッキプレートが外れることが考えられる。
【０００８】
この場合、例えば衝撃荷重で破壊されたコンクリートの破片がコンクリート床版の下方へ落下する可能性がある。
【０００９】
このため、コンクリート床版への落下物対策として、コンクリート床版の表面を覆工板で覆う必要が生じ、工期に影響を与える。
【００１０】
工期に影響を与える理由について具体的に説明すると、第一に、覆工板を敷設する為の時間を要し、工期が増加する。第二に、上階の建て方が進み覆工板を撤去する際、撤去用の重機の高さが制限されており、能力が小さい重機を用いざるを得ない。このため、覆工板の撤去に時間を要し、工期が増加する。
【００１１】
そして、工期の増大によるコスト増に加えて、覆工板そのものに費用を要する。これにより、コストが増加する。
【００１２】
本発明は、衝撃荷重でＲＣ床版のコンクリート床版が破壊されても、そのコンクリートの破片の落下を抑制することができるＲＣ床版形成方法を提供することを目的とする。
【課題を解決するための手段】
【００１３】
第一態様は、構造物を構成する水平部材にデッキプレートを架け渡し、該デッキプレートの端部を前記水平部材に接合して、当該デッキプレートの上面にコンクリートを打設するＲＣ床版形成方法である。
【００１４】
第一態様では、構造物を構成する水平部材にデッキプレートを架け渡すとともに、このデッキプレートの端部を水平部材に接合する。そして、デッキプレートの上面にコンクリートを打設してスラブコンクリートを形成する。
【００１５】
これにより形成されたＲＣ床版において、落下物等によりＲＣ床版の上面に衝撃荷重が作用したとき、デッキプレートが衝撃荷重を負担できるように、デッキプレートの端部が水平部材に接合されている。このため、デッキプレートが衝撃エネルギー吸収能力を発揮する。
【００１６】
また、衝撃荷重でＲＣ床版が破壊された際に鉄筋から剥離したコンクリートの破片がＲＣ床版の下方へ落下する可能性がある。しかし、本態様では、デッキプレートが水平部材に接合されている。このため、コンクリートの破片をデッキプレートで受けることで、ＲＣ床版の下方へ落下を抑制することができる。
【００１７】
第二態様は、構造物を構成する水平部材にデッキプレートを架け渡し、該デッキプレートの上面にコンクリートを打設する際に、前記デッキプレートの端部を前記水平部材の上で前記コンクリートに埋設させるＲＣ床版形成方法である。
【００１８】
第二態様では、構造物を構成する水平部材にデッキプレートを架け渡し、このデッキプレートの上面にコンクリートを打設する。この際、デッキプレートの端部を水平部材の上でコンクリートに埋設させてスラブコンクリートを形成する。
【００１９】
これにより形成されたＲＣ床版において、落下物等によりＲＣ床版の上面に衝撃荷重が作用したとき、デッキプレートが衝撃荷重を負担できるように、デッキプレートの端部が水平部材の上でスラブコンクリートに接合されている。これにより、デッキプレートは、スラブコンクリートを介して梁に支持されるため、デッキプレートが衝撃エネルギー吸収能力を発揮する。
【００２０】
また、衝撃荷重でスラブコンクリートが破壊された際に鉄筋から剥離した破片がＲＣ床版の下方へ落下する可能性がある。しかし、本態様では、デッキプレートが水平部材の上でスラブコンクリートに接合され水平部材に支持されている。このため、破片をデッキプレートで受けることで、ＲＣ床版の下方へ落下を抑制することができる。
【００２１】
第三態様は、構造物を構成する水平部材にデッキプレートを架け渡し、前記デッキプレートを前記水平部材に繋ぎ止める保持部で前記デッキプレートの端部と前記水平部材とを繋いで、前記デッキプレートの上面にコンクリートを打設するＲＣ床版形成方法である。
【００２２】
第三態様では、構造物を構成する水平部材にデッキプレートを架け渡し、このデッキプレートを水平部材に繋ぎ止める保持部でデッキプレートの端部と水平部材とを繋ぐ。そして、デッキプレートの上面にコンクリートを打設してスラブコンクリートを形成する。
【００２３】
これにより形成されたＲＣ床版において、落下物等によりＲＣ床版の上面に衝撃荷重が作用し、デッキプレート端部が水平部材から外れる際に、デッキプレートは保持部を介して水平部材と繋がっている。
【００２４】
このため、衝撃荷重でスラブコンクリートが破壊され鉄筋から破片が剥離しても、デッキプレートが水平部材に繋がっているので、破片をデッキプレートで受け、ＲＣ床版の下方へ落下を抑制することができる。
【発明の効果】
【００２５】
本態様によれば、衝撃荷重でＲＣ床版のコンクリートが破壊された場合であっても、その破片の落下を抑制することができる。
【図面の簡単な説明】
【００２６】
【図１】第１実施形態に係るデッキプレートを示す斜視図である。
【図２】第１実施形態の要部を示す断面図である。
【図３】第２実施形態の要部を示す断面図である。
【図４】第３実施形態の要部を示す断面図である。
【図５】第４実施形態の要部を示す断面図である。
【図６】第５実施形態の要部を示す斜視図である。
【図７】第６実施形態の要部を示す斜視図である。
【図８】第７実施形態の要部を示す斜視図である。
【図９】図８のＡ−Ａ線に沿った断面図である。
【図１０】第８実施形態の要部を示す断面図である。
【図１１】第９実施形態の要部を示す断面図である。
【図１２】第１０実施形態の要部を示す断面図である。
【図１３】第１１実施形態の要部を示す断面図である。
【図１４】第１２実施形態の要部を示す断面図である。
【図１５】第１３実施形態の要部を示す断面図である。
【図１６】第１４実施形態の要部を示す断面図である。
【図１７】第１５実施形態の要部を示す断面図である。
【図１８】第１６実施形態の要部を示す断面図である。
【図１９】第１７実施形態の要部を示す断面図である。
【図２０】第１８実施形態の要部を示す断面図である。
【発明を実施するための形態】
【００２７】
（第１実施形態）
以下、本発明の第１実施形態を図面に従って説明する。
【００２８】
図１及び図２は、本実施形態に係るＲＣ床版１０を示す図である。このＲＣ床版１０は、例えば鉄筋コンクリート造の構造床を構成し、その例としては、建築物、土木構造物、跨線橋、コンコースなどのスラブ床版が挙げられる。
【００２９】
ＲＣ床版１０は、図１に示したように、構造物を構成する水平部材の一例である梁１２に架け渡されたデッキプレート１４を備えている。デッキプレート１４が架け渡される梁１２は、一例としてＨ型鋼で構成されており、Ｈ型鋼のウエブ１２Ａの上端に設けられたフランジ１２Ｂには、図２に示すように、スタッドボルト１６が立設されている。
【００３０】
なお、デッキプレート１４としては、上面が平坦なフラットデッキを用いる場合を例に挙げて説明するが、これに限定されるものではない。例えば、上面に凹凸が設けられたデッキプレートを用いてもよい。例えば、上面に凹凸が設けられたデッキプレートや、断面が波型のデッキプレートを用いてもよい。
【００３１】
デッキプレート１４は、図１に示したように、長尺状に形成されており、複数のデッキプレート１４が並設され梁１２間に平面部を形成する。この平面部上には、鉄筋が配筋されるとともにコンクリートが打設され、図２に示したように、スラブコンクリート１８が形成される。このデッキプレート１４は、スラブコンクリート１８形成後も取り除かれることはなく、いわゆる捨て型枠となる。
【００３２】
デッキプレート１４は、上面を構成する平板部１４Ａと、平板部１４Ａの下面に突設された補強リブ１４Ｂとを備え、平板部１４Ａの長さ方向両端部は、補強リブ１４Ｂより突出したフランジ部２０を構成する。このフランジ部２０は、梁１２のフランジ１２Ｂに第１接合手段２２で接合されている。これにより、スラブコンクリート１８の上面１８Ａに衝撃荷重が作用した際に、デッキプレート１４が衝撃荷重を負担するようにデッキプレート１４の端部が梁１２に接合されている。
【００３３】
デッキプレート１４のフランジ部２０を梁１２のフランジ１２Ｂに接合する第１接合手段２２としては、デッキプレート１４のフランジ部２０と梁１２のフランジ１２Ｂとを溶接して接合する溶接部が挙げられる。
【００３４】
この第１接合手段２２としては、溶接部に限定されるものではなく、他の例として、接着剤で接着した接着部や、両面テープで接合した接合部や、磁石による磁着部や、ボルトによる締結部が挙げられる。
【００３５】
また、デッキプレート１４のフランジ部２０及び梁１２のフランジ１２Ｂの対面部分に発錆やショットブラスト等を施して摩擦を増やしたり、薬品で荒らしたりすることで、デッキプレート１４と梁１２との相対移動を抑制することができる。
【００３６】
このＲＣ床版１０を形成する際には、構造物を構成する水平部材である梁１２にデッキプレート１４を架け渡す。次に、デッキプレート１４端部のフランジ部２０を梁１２のフランジ１２Ｂに第１接合手段２２で接合する。そして、デッキプレート１４の上面にコンクリートを打設してスラブコンクリート１８を形成しＲＣ床版１０を形成する。
【００３７】
（作用）
次に、本実施形態の作用を説明する。
【００３８】
例えば吊り上げ作業中の揚重物や搬送物などの落下物によりスラブコンクリート１８の上面１８Ａに衝撃荷重が作用したとき、デッキプレート１４が衝撃荷重を負担できるように、デッキプレート１４の端部が第１接合手段２２で梁１２に接合されている。このため、デッキプレート１４が衝撃エネルギー吸収能力を発揮する。
【００３９】
なお、落下物としては、これらに限定されるものではない。例えば駐車場の床版を構成する場合、落下物の対象としては車が挙げられ、工場の床版を構成する場合には、落下物の対象としては搬送物が挙げられる。
【００４０】
また、衝撃荷重でスラブコンクリート１８が破壊された際にスラブコンクリート１８を構成する鉄筋から剥離した破片がＲＣ床版１０の下方へ落下する可能性がある。しかし、本実施形態では、デッキプレート１４が第１接合手段２２によって梁１２に接合されている。このため、破片をデッキプレート１４で受けることができ、ＲＣ床版１０の下方への破片の落下を抑制することができる。また、ＲＣ床版１０に落下した落下物がＲＣ床版１０の下方へ落下することも抑制することができる。
【００４１】
このため、落下物対策として、従来のように、ＲＣ床版１０を覆工板で覆う構成と比較して、施工手間を低減でき、工期を短縮できる。
【００４２】
（第２実施形態）
図３は、第２実施形態に係るＲＣ床版１０を示す図であり、第１実施形態と同一又は同等部分については、同符号を付して説明を割愛するとともに、異なる部分についてのみ説明する。なお、ＲＣ床版１０の形成方法は第１実施形態と同様である。
【００４３】
本実施形態では、第１実施形態と比較して、梁１２へのデッキプレート１４の接合構造が異なる。
【００４４】
このデッキプレート１４のフランジ部２０には、第１接合手段を構成する折り返し部３０が形成されている。折り返し部３０は、デッキプレート１４と反対側に位置する梁１２のフランジ１２Ｂに沿って下方へ屈曲された屈曲部３０Ａと、屈曲部３０Ａよりウエブ１２Ａ側へ曲げられた曲げ部３０Ｂとを備えている。
【００４５】
このような構造であっても、デッキプレート１４の端部を水平部材である梁１２に接合することができるので、第１実施形態と同様の作用効果を得ることができる。
【００４６】
（第３実施形態）
図４は、第３実施形態に係るＲＣ床版１０を示す図であり、第１実施形態と同一又は同等部分については、同符号を付して説明を割愛するとともに、異なる部分についてのみ説明する。なお、ＲＣ床版１０の形成方法は第１実施形態と同様である。
【００４７】
本実施形態では、第１実施形態と比較して、梁１２へのデッキプレート１４の接合構造が異なる。
【００４８】
このデッキプレート１４のフランジ部２０には、板状の固定部材３２が接着剤３４によって固定されている。固定部材３２は、フランジ部２０に固定された長片３２Ａと、長片３２Ａの先端より梁１２のフランジ１２Ｂに沿って下方へ屈曲された屈曲部３２Ｂと、屈曲部３２Ｂよりウエブ１２Ａ側へ曲げられた曲げ部３２Ｃとを備えている。曲げ部３２Ｃは、接着剤３４によって梁１２のフランジ１２Ｂに固定されている。
【００４９】
このような構造であっても、デッキプレート１４の端部を水平部材である梁１２に接合することができるので、第１実施形態と同様の作用効果を得ることができる。
【００５０】
（第４実施形態）
図５は、第４実施形態に係るＲＣ床版１０を示す図であり、第１実施形態と同一又は同等部分については、同符号を付して説明を割愛するとともに、異なる部分についてのみ説明する。
【００５１】
本実施形態のデッキプレート１４は、梁１２に支持されたフランジ部２０の部位に突起３６が設けられており、この突起３６は、梁１２の上でスラブコンクリート１８に埋設されている。このため、デッキプレート１４の端部であるフランジ部２０は、水平部材である梁１２の上でスラブコンクリート１８に接合されており、デッキプレート１４がスラブコンクリート１８からずれないように構成されている。
【００５２】
これにより、スラブコンクリート１８の上面１８Ａに衝撃荷重が作用したとき、デッキプレート１４が衝撃荷重を負担するようにデッキプレート１４の端部を水平部材である梁１２の上でスラブコンクリート１８に接合する第２接合手段が構成されている。
【００５３】
また、本実施形態では、梁１２の上部のフランジ１２Ｂにスタッドボルト１６が立設されており、スタッドボルト１６は、スラブコンクリート１８に埋設される。このため、スラブコンクリート１８は、梁１２からの相対的な移動が抑制されている。
【００５４】
このＲＣ床版１０を形成する際には、構造物を構成する水平部材である梁１２にデッキプレート１４を架け渡す。次に、デッキプレート１４の上面にコンクリートを打設してスラブコンクリート１８を形成する。この際に、デッキプレート１４の端部を、突起３６を介して梁１２の上でスラブコンクリート１８に接合し、ＲＣ床版１０を形成する。
【００５５】
（作用）
次に、本実施形態の作用を説明する。
【００５６】
吊り上げ作業中の揚重物や搬送物などの落下物によりスラブコンクリート１８の上面１８Ａに衝撃荷重が作用したとき、デッキプレート１４が衝撃荷重を負担するようにデッキプレート１４の端部が突起３６により梁１２上でスラブコンクリート１８に接合される。これにより、デッキプレート１４は、スラブコンクリート１８を介して梁１２に支持されるため、デッキプレート１４が衝撃エネルギー吸収能力を発揮する。
【００５７】
また、衝撃荷重でスラブコンクリート１８が破壊された際に鉄筋から剥離した破片がＲＣ床版１０の下方へ落下する可能性がある。しかし、本実施形態では、デッキプレート１４は、梁１２の上でスラブコンクリート１８に接合され、このスラブコンクリート１８を介して梁１２に支持される。このため、破片をデッキプレート１４で受けることで、ＲＣ床版１０の下方へ落下を抑制することができる。
【００５８】
このため、落下物対策として、従来のように、ＲＣ床版１０を覆工板で覆う構成と比較して、施工手間を低減でき、工期を短縮できる。
【００５９】
（第５実施形態）
図６は、第５実施形態に係るＲＣ床版１０を示す図であり、第４実施形態と同一又は同等部分については、同符号を付して説明を割愛するとともに、異なる部分についてのみ説明する。なお、ＲＣ床版１０の形成方法は第４実施形態と同様である。
【００６０】
本実施形態では、第４実施形態と比較して、スラブコンクリート１８（図５等参照）とデッキプレート１４との接合構造が異なる。
【００６１】
このデッキプレート１４のフランジ部２０には、長方形状の開口部３８が複数形成されている。開口部３８が設けられたフランジ部２０と反対側のフランジ部２０側（図示省略）に位置する各開口部３８の開口縁には、切り起こし片４０が起立しており、各切り起こし片４０は、開口部３８を形成する部位が切り起こされて形成される。
【００６２】
この切り起こし片４０は、デッキプレート１４の幅方向に列を成して配列されており、この列は、デッキプレート１４の長さ方向に二列形成されている。各列の切り起こし片４０は、デッキプレート１４の幅方向において互い違いに配置されている。
【００６３】
各切り起こし片４０は、梁１２のフランジ１２Ｂの上に配置された状態でスラブコンクリート１８に埋設される（図５等参照）。これにより、スラブコンクリート１８の上面１８Ａに衝撃荷重が作用したとき、デッキプレート１４が衝撃荷重を負担するようにデッキプレート１４の端部を水平部材である梁１２の上でスラブコンクリート１８に接合する第２接合手段が構成されている。
【００６４】
このような構造であっても、デッキプレート１４の端部を梁１２の上でスラブコンクリート１８に接合することができるので、第４実施形態と同様の作用効果を得ることができる。
【００６５】
（第６実施形態）
図７は、第６実施形態に係るＲＣ床版１０を示す図であり、第５実施形態と同一又は同等部分については、同符号を付して説明を割愛するとともに、異なる部分についてのみ説明する。なお、ＲＣ床版１０の形成方法は第５実施形態と同様である。
【００６６】
本実施形態では、第５実施形態と比較して、デッキプレート１４のフランジ部２０に設けられた切り起こし片４０の配置が異なる。
【００６７】
すなわち、切り起こし片４０は、フランジ部２０の先端側に位置する開口部３８の開口縁より起立している。
【００６８】
このような構造であっても、デッキプレート１４の端部を梁１２の上でスラブコンクリート１８に接合することができるので、第４実施形態と同様の作用効果を得ることができる。
【００６９】
また、切り起こし片４０は、フランジ部２０の先端側に位置する開口部３８の開口縁より起立している。このため、デッキプレート１４が梁１２から離れる方向へスライドする際の切り起こし片４０の倒れ方向を切り起こし方向とすることができる。
【００７０】
このため、デッキプレート１４が梁１２から離れる方向へスライドする際に切り起こし片４０の倒れ方向が切り起こし方向と逆側となる場合と比較して、切り起こし片４０の倒れ抑制効果を高めることができる。これにより、梁１２からのデッキプレート１４の離脱防止効果を高めることができる。
【００７１】
（第７実施形態）
図８及び図９は、第７実施形態に係るＲＣ床版１０を示す図であり、第６実施形態と同一又は同等部分については、同符号を付して説明を割愛するとともに、異なる部分についてのみ説明する。なお、ＲＣ床版１０の形成方法は第６実施形態と同様である。
【００７２】
すなわち、デッキプレート１４のフランジ部２０に設けられた切り起こし片４０の一つには、孔４２が形成されており、この孔４２にスラブコンクリート１８を構成する鉄筋４４が通されている。また、この切り起こし片４０近傍のフランジ部２０の部位には、挿通穴４６が形成されており、挿通穴４６には、梁１２のフランジ１２Ｂに設けられたスタッドボルト１６が挿通されている。
【００７３】
切り起こし片４０は、梁１２の上に配置された状態でスラブコンクリート１８に埋設される。これにより、スラブコンクリート１８の上面１８Ａに衝撃荷重が作用したとき、デッキプレート１４が衝撃荷重を負担するようにデッキプレート１４の端部を水平部材である梁１２の上でスラブコンクリート１８に接合する第２接合手段が構成されている。
【００７４】
このような構造であっても、デッキプレート１４の端部を梁１２の上でスラブコンクリート１８に接合することができるので、第６実施形態と同様の作用効果を得ることができる
【００７５】
また、切り起こし片４０の孔４２に鉄筋４４を通すことで、スラブコンクリート１８とデッキプレート１４との接合強度を高めることができる。また、鉄筋４４の梁１２との掛り代を長くとることで、デッキプレート１４の掛り代がなくなっても、デッキプレート１４を鉄筋４４に引掛けて脱落を抑制することができる。
【００７６】
なお、本実施形態では、デッキプレート１４のフランジ部２０に設けられた切り起こし片４０の一つに孔４２を設けるとともに、この孔４２にスラブコンクリート１８に配筋された鉄筋４４を通した場合を例に挙げて説明したが、これ限定されるものではない。すなわち、切り起こし片４０への鉄筋４４の貫通は任意である。
【００７７】
（第８実施形態）
図１０は、第８実施形態に係るＲＣ床版１０を示す図であり、第４実施形態と同一又は同等部分については、同符号を付して説明を割愛するとともに、異なる部分についてのみ説明する。なお、ＲＣ床版１０の形成方法は第４実施形態と同様である。
【００７８】
本実施形態では、第４実施形態と比較して、スラブコンクリート１８とデッキプレート１４との接合構造が異なる。
【００７９】
このデッキプレート１４のフランジ部２０には、幅方向に延在する折り曲げ部４８が長さ方向に間隔をおいて複数設けられている。折り曲げ部４８は、フランジ部２０の一部が山形に折り曲げられて形成されており、上方へ向けて突出する。
【００８０】
各折り曲げ部４８は、梁１２の上に配置された状態でスラブコンクリート１８に埋設される。これにより、スラブコンクリート１８の上面１８Ａに衝撃荷重が作用したとき、デッキプレート１４が衝撃荷重を負担するようにデッキプレート１４の端部を水平部材である梁１２の上でスラブコンクリート１８に接合する第２接合手段が構成されている。
【００８１】
このような構造であっても、デッキプレート１４の端部を梁１２の上でスラブコンクリート１８に接合することができるので、第４実施形態と同様の作用効果を得ることができる。
【００８２】
（第９実施形態）
図１１は、第９実施形態に係るＲＣ床版１０を示す図であり、第４実施形態と同一又は同等部分については、同符号を付して説明を割愛するとともに、異なる部分についてのみ説明する。なお、ＲＣ床版１０の形成方法は第４実施形態と同様である。
【００８３】
本実施形態では、第４実施形態と比較して、スラブコンクリート１８とデッキプレート１４との接合構造が異なる。
【００８４】
このデッキプレート１４のフランジ部２０には、複数の鋲５０が設けられており、各鋲５０は、上方へ向けて突出する。
【００８５】
各鋲５０は、梁１２の上に配置された状態でスラブコンクリート１８に埋設される。これにより、スラブコンクリート１８の上面１８Ａに衝撃荷重が作用したとき、デッキプレート１４が衝撃荷重を負担するようにデッキプレート１４の端部を水平部材である梁１２の上でスラブコンクリート１８に接合する第２接合手段が構成されている。
【００８６】
このような構造であっても、デッキプレート１４の端部を梁１２の上でスラブコンクリート１８に接合することができるので、第４実施形態と同様の作用効果を得ることができる。
【００８７】
（第１０実施形態）
図１２は、第１０実施形態に係るＲＣ床版１０を示す図であり、第４実施形態と同一又は同等部分については、同符号を付して説明を割愛するとともに、異なる部分についてのみ説明する。なお、ＲＣ床版１０の形成方法は第４実施形態と同様である。
【００８８】
本実施形態では、第４実施形態と比較して、スラブコンクリート１８とデッキプレート１４との接合構造が異なる。
【００８９】
このデッキプレート１４は、フランジ部２０の端部に端部折曲部５２が形成されている。端部折曲部５２は、フランジ部２０の端部より上方へ起立した起立部５２Ａと、起立部５２Ａの先端より先端側へ向けて斜め下方へ延出する延出片５２Ｂとを備えている。
【００９０】
端部折曲部５２は、梁１２の上に配置された状態でスラブコンクリート１８に埋設される。これにより、スラブコンクリート１８の上面１８Ａに衝撃荷重が作用したとき、デッキプレート１４が衝撃荷重を負担するようにデッキプレート１４の端部を水平部材である梁１２の上でスラブコンクリート１８に接合する第２接合手段が構成されている。
【００９１】
このような構造であっても、デッキプレート１４の端部を梁１２の上でスラブコンクリート１８に接合することができるので、第４実施形態と同様の作用効果を得ることができる。
【００９２】
（第１１実施形態）
図１３は、第１１実施形態に係るＲＣ床版１０を示す図であり、第４実施形態と同一又は同等部分については、同符号を付して説明を割愛するとともに、異なる部分についてのみ説明する。なお、ＲＣ床版１０の形成方法は第４実施形態と同様である。
【００９３】
本実施形態では、第４実施形態と比較して、スラブコンクリート１８とデッキプレート１４との接合構造が異なる。
【００９４】
このデッキプレート１４は、フランジ部２０の端部が上方に起立されてなる起立壁５４が設けられている。起立壁５４には、貫通穴５６が形成されており、貫通穴５６には、スラブコンクリート１８を構成する下端の鉄筋４４が貫通している。
【００９５】
起立壁５４は、梁１２の上に配置された状態でスラブコンクリート１８に埋設される。これにより、スラブコンクリート１８の上面１８Ａに衝撃荷重が作用したとき、デッキプレート１４が衝撃荷重を負担するようにデッキプレート１４の端部を水平部材である梁１２の上でスラブコンクリート１８に接合する第２接合手段が構成されている。
【００９６】
このような構造であっても、デッキプレート１４の端部を梁１２の上でスラブコンクリート１８に接合することができるので、第４実施形態と同様の作用効果を得ることができる。
【００９７】
また、フランジ部２０に設けられた起立壁５４には、スラブコンクリート１８を構成する下端の鉄筋４４が貫通している。このため、デッキプレート１４がスラブコンクリート１８の鉄筋４４で支持されることにより、デッキプレート１４の離脱防止効果を高めることができる。
【００９８】
（第１２実施形態）
図１４は、第１２実施形態に係るＲＣ床版１０を示す図であり、第４実施形態と同一又は同等部分については、同符号を付して説明を割愛するとともに、異なる部分についてのみ説明する。なお、ＲＣ床版１０の形成方法は第４実施形態と同様である。
【００９９】
本実施形態では、第４実施形態と比較して、スラブコンクリート１８とデッキプレート１４との接合構造が異なる。
【０１００】
デッキプレート１４のフランジ部２０の先端には、ジョイント６０が形成されている。梁１２の一方側に設けられたデッキプレート１４のジョイント６０は、フランジ部２０が上面に沿って折り返されて形成されている。また、梁１２の他方側に設けられたデッキプレート１４のジョイント６０は、フランジ部２０が下面に沿って折り返されて形成されている。
【０１０１】
梁１２の一方側のデッキプレート１４のジョイント６０と、梁１２の他方側のデッキプレート１４のジョイント６０とは、互いに噛み合わされ、両ジョイント６０が噛み合わされた噛合部６２は、梁１２の上においてスラブコンクリート１８に埋設される。これにより、スラブコンクリート１８の上面１８Ａに衝撃荷重が作用したとき、デッキプレート１４が衝撃荷重を負担するようにデッキプレート１４の端部を水平部材である梁１２の上でスラブコンクリート１８に接合する第２接合手段が構成されている。
【０１０２】
このような構造であっても、デッキプレート１４の端部を梁１２の上でスラブコンクリート１８に接合することができるので、第４実施形態と同様の作用効果を得ることができる
【０１０３】
また、梁１２の一方側のデッキプレート１４のジョイント６０と梁１２の他方側のデッキプレート１４のジョイント６０とが噛み合わされているので、梁１２からのデッキプレート１４の離脱防止効果を高めることができる。
【０１０４】
（第１３実施形態）
図１５は、第１３実施形態に係るＲＣ床版１０を示す図であり、第４実施形態と同一又は同等部分については、同符号を付して説明を割愛するとともに、異なる部分についてのみ説明する。なお、ＲＣ床版１０の形成方法は第４実施形態と同様である。
【０１０５】
本実施形態では、第４実施形態と比較して、スラブコンクリート１８とデッキプレート１４との接合構造が異なる。
【０１０６】
デッキプレート１４のフランジ部２０には、二本の鉄筋４４が溶接されており、鉄筋４４は、フランジ部２０の上側に突出し、梁１２の上に配置された状態でスラブコンクリート１８に埋設される。これにより、スラブコンクリート１８の上面１８Ａに衝撃荷重が作用したとき、デッキプレート１４が衝撃荷重を負担するようにデッキプレート１４の端部を水平部材である梁１２の上でスラブコンクリート１８に接合する第２接合手段が構成されている。
【０１０７】
このような構造であっても、デッキプレート１４の端部を梁１２の上でスラブコンクリート１８に接合することができるので、第４実施形態と同様の作用効果を得ることができる。
【０１０８】
（第１４実施形態）
図１６は、第１４実施形態に係るＲＣ床版１０を示す図であり、第４実施形態と同一又は同等部分については、同符号を付して説明を割愛するとともに、異なる部分についてのみ説明する。なお、ＲＣ床版１０の形成方法は第４実施形態と同様である。
【０１０９】
本実施形態では、第４実施形態と比較して、スラブコンクリート１８とデッキプレート１４との接合構造が異なる。
【０１１０】
デッキプレート１４のフランジ部２０には、断面Ｕ字状のスペーサ６４が溶接されている。スペーサ６４の上部には、スラブコンクリート１８を構成する主筋４３及び配力筋４４が溶接されており、スラブコンクリート１８の下面から主筋４３までのかぶり厚さが確保されている。
【０１１１】
スペーサ６４は、フランジ部２０の上側に突出しており、梁１２の上に配置された状態でスラブコンクリート１８に埋設される。これにより、スラブコンクリート１８の上面１８Ａに衝撃荷重が作用したとき、デッキプレート１４が衝撃荷重を負担するようにデッキプレート１４の端部を水平部材である梁１２の上でスラブコンクリート１８に接合する第２接合手段が構成されている。
【０１１２】
このような構造であっても、デッキプレート１４の端部を梁１２の上でスラブコンクリート１８に接合することができるので、第４実施形態と同様の作用効果を得ることができる。
【０１１３】
また、デッキプレート１４は、スラブコンクリート１８の主筋４３及び配力筋４４に接合されているので、デッキプレート１４の離脱防止効果を高めることができる。
【０１１４】
（第１５実施形態）
図１７は、第１５実施形態に係るＲＣ床版１０を示す図であり、第１実施形態と同一又は同等部分については、同符号を付して説明を割愛するとともに、異なる部分についてのみ説明する。
【０１１５】
本実施形態のデッキプレート１４は、フランジ部２０の先端が下方へ折り曲げられており、フランジ部２０の先端には、折り曲げ部６６が形成されている。また、デッキプレート１４側に位置する梁１２のフランジ１２Ｂの端部には、断面Ｌ字状のストッパ６８が設けられており、ストッパ６８の先端部は、フランジ１２Ｂより上方へ突出する。
【０１１６】
梁１２にデッキプレート１４のフランジ部２０を支持した状態において、フランジ部２０先端の折り曲げ部６６とストッパ６８との間にはクリアランスＣが設けられ、デッキプレート１４は、クリアランスＣ分長さ方向へスライドできる。
【０１１７】
スラブコンクリート１８の上面１８Ａに衝撃荷重が作用してデッキプレート１４の端部が梁１２から外れる際に、デッキプレート１４の端部と梁１２とが互いにスライドを許容するクリアランスＣ分の長さを有して繋ぐ保持部７０がフランジ部２０の折り曲げ部６６とストッパ６８とによって構成されている。
【０１１８】
このＲＣ床版１０を形成する際には、構造物を構成する水平部材である梁１２にデッキプレート１４を架け渡す。次に、デッキプレート１４を梁１２に繋ぎ止める保持部７０でデッキプレート１４の端部と梁１２とを繋ぐ。そして、デッキプレート１４の上面にコンクリートを打設してスラブコンクリート１８を形成しＲＣ床版１０を形成する
【０１１９】
（作用）
次に、本実施形態の作用を説明する。
【０１２０】
例えば吊り上げ作業中の揚重物や搬送物などの落下物によりスラブコンクリート１８の上面１８Ａに衝撃荷重が作用し、デッキプレート１４端部が水平部材である梁１２から外れる際に、デッキプレート１４は保持部７０を介して梁１２と繋がる。
【０１２１】
すなわち、折り曲げ部６６とストッパ６８とで保持部７０を形成し、クリアランスＣ分の長さ方向へスライド可能とされている。このため、衝撃荷重が作用しても脱落（外れる）が抑制され、さらに折り曲げ部６６とストッパ６８とが当接することで落下が抑制される。
【０１２２】
このため、衝撃荷重でスラブコンクリート１８が破壊され鉄筋から破片が剥離しても、デッキプレート１４が梁１２に繋がっているので、破片をデッキプレート１４で受け、ＲＣ床版１０の下方へ落下を抑制することができる。
【０１２３】
このため、落下物対策として、従来のように、ＲＣ床版１０を覆工板で覆う構成と比較して、施工手間を低減でき、工期を短縮できる。
【０１２４】
（第１６実施形態）
図１８は、第１６実施形態に係るＲＣ床版１０を示す図であり、第１５実施形態と同一又は同等部分については、同符号を付して説明を割愛するとともに、異なる部分についてのみ説明する。
【０１２５】
本実施形態では、第１５実施形態と比較して、デッキプレート１４と梁１２とを繋ぐ保持部の構造が異なる。
【０１２６】
すなわち、デッキプレート１４側に位置する梁１２のフランジ１２Ｂの端部には、デッキ受けアングル７２が設けられている。デッキ受けアングル７２は、梁１２のフランジ１２Ｂの端面に固定された固定面７２Ｂと、固定面７２Ｂの上縁よりデッキプレート１４側へ向けて延出した棚面７２Ｃとを備えている。このデッキ受けアングル７２の棚面７２Ｃには、デッキプレート１４のフランジ部２０が支持されている。
【０１２７】
さらに、梁１２のフランジ１２Ｂの上面には、シート７４の一端部が接着剤３４で固定されており、このシート７４の他端部は、接着剤３４でデッキプレート１４の平板部１４Ａに固定されている。シート７４の素材としては、金属シートが挙げられ、非金属シートとしては、有機繊維（ポリエステル製、アクリル製等）、無機繊維（ガラス繊維、鋼繊維、炭素繊維等）が挙げられる。
【０１２８】
このシート７４は、デッキプレート１４の平板部１４Ａ上で折りたたまれており、シート７４は、スラブコンクリート１８に埋設されないように構成されている。
【０１２９】
これにより、スラブコンクリート１８の上面１８Ａに衝撃荷重が作用してデッキプレート１４端部のフランジ部２０が水平部材である梁１２から外れる際に、デッキプレート１４のフランジ部２０と梁１２とを繋ぐ保持部が構成されている。
【０１３０】
シート７４の折りたたみによる余長は、第１５実施形態におけるクリアランスＣと同等の作用を奏し、デッキプレート１４が長さ方向へ移動しても、余長の範囲内でシート７４が追従することができる。このために、衝撃荷重が作用した際には、ＲＣ床版１０の変形に対応することができる。
【０１３１】
そして、デッキプレート１４の移動量が大きくなり、デッキプレート１４の端部がデッキ受けアングル７２の棚面７２Ｃから外れた際には、シート７４の折りたたみ部分が展開することで、デッキプレート１４の脱落を防ぐことができる。
【０１３２】
このように、デッキプレート１４がデッキ受けアングル７２の棚面７２Ｃから外れる際に、デッキプレート１４と梁１２とをシート７４によって繋ぐことができるため、第１５実施形態と同様の作用効果を得ることができる
【０１３３】
また、デッキプレート１４が梁１２から外れた状態において、梁１２とデッキプレート１４との間にシート７４を広げることができる。このため、鉄筋から剥離した破片を広げられたシート７４で受けることができる。
【０１３４】
（第１７実施形態）
図１９は、第１７実施形態に係るＲＣ床版１０を示す図であり、第１６実施形態と同一又は同等部分については、同符号を付して説明を割愛するとともに、異なる部分についてのみ説明する。なお、ＲＣ床版１０の形成方法は第１６実施形態と同様である。
【０１３５】
本実施形態では、第１６実施形態と比較して、デッキプレート１４と梁１２とを繋ぐ保持部の構造が異なる。
【０１３６】
すなわち、保持部を構成するシート７４の一端部は、梁１２のフランジ１２Ｂの上面に接着剤３４で固定されており、シート７４の他端部は、梁１２に支持されるデッキプレート１４のフランジ部２０の下面に接着剤３４で固定されている。
【０１３７】
このシート７４は、梁１２のフランジ１２Ｂとデッキプレート１４のフランジ部２０との間に折り畳まれた状態で配置されており、このシート７４は、スラブコンクリート１８に埋設されないように構成されている。
【０１３８】
これにより、スラブコンクリート１８の上面１８Ａに衝撃荷重が作用してデッキプレート１４端部のフランジ部２０が水平部材である梁１２から外れる際に、デッキプレート１４のフランジ部２０と梁１２とを繋ぐ保持部がシート７４で構成されている。
【０１３９】
シート７４の折りたたみによる余長は、第１５実施形態におけるクリアランスＣと同等の作用を奏し、デッキプレート１４が長さ方向へ移動しても、余長の範囲内でシート７４が追従することができる。このために、衝撃荷重が作用した際には、ＲＣ床版１０の変形に対応することができる。
【０１４０】
そして、デッキプレート１４の移動量が大きくなり、デッキプレート１４の端部が梁１２から外れた際には、シート７４の折りたたみ部分が展開することで、デッキプレート１４の脱落を防ぐことができる。
【０１４１】
このように、デッキプレート１４が梁１２から外れる際に、デッキプレート１４と梁１２とをシート７４によって繋ぐことができるので、第１６実施形態と同様の作用効果を得ることができる
【０１４２】
また、梁１２とデッキプレート１４とをシート７４で直接繋ぐため、梁１２のフランジ１２Ｂに受け部材を設け、受け部材とデッキプレート１４とのシート７４を設ける場合と比較して、構成を簡素化することができる。
【０１４３】
（第１８実施形態）
図２０は、第１８実施形態に係るＲＣ床版１０を示す図であり、第１５実施形態と同一又は同等部分については、同符号を付して説明を割愛するとともに、異なる部分についてのみ説明する。なお、ＲＣ床版１０の形成方法は第１５実施形態と同様である。
【０１４４】
本実施形態では、第１５実施形態と比較して、デッキプレート１４と梁１２とを繋ぐ保持部の構造が異なる。
【０１４５】
すなわち、デッキプレート１４の端部には、ループ状に形成されたワイヤからなる線材７８の両端部が溶接されており、ループ状に形成された線材７８のループ内には、スタッドボルト１６が配置されている。ループ状に形成された線材７８とスタッドボルト１６との間には、クリアランスＣが設けられており、梁１２からデッキプレート１４が外れて離れる際に、線材７８がスタッドボルト１６に係止される。
【０１４６】
これにより、スラブコンクリート１８の上面１８Ａに衝撃荷重が作用してデッキプレート１４端部のフランジ部２０が水平部材である梁１２から外れる際に、デッキプレート１４のフランジ部２０と梁１２とを繋ぎ止める保持部が線材７８で構成されている。
【０１４７】
このような構造であっても、デッキプレート１４が梁１２から外れる際に、デッキプレート１４と梁１２とを線材７８によって繋いでいるので、第１５実施形態と同様の作用効果を得ることができる。
【０１４８】
なお、各実施形態では、水平部材として梁１２を例に挙げて説明したが、これに限定されるものではない。水平部材としては、デッキプレート１４を支持する支持部材であればよい。
【０１４９】
また、各実施形態では、デッキプレート１４の端部を梁１２に接合する構成と、デッキプレート１４の端部を梁１２の上でスラブコンクリート１８に接合する構成と、デッキプレート１４の端部及び梁１２を保持部で繋ぐ構成とを個別に実施した。しかし、これらの構成を組合せて実施してもよい。
【０１５０】
本発明の要旨を逸脱しない範囲において種々なる態様で実施し得る。
【符号の説明】
【０１５１】
１０   ＲＣ床版
１２   梁（水平部材）
１４   デッキプレート
１６   スタッドボルト
１８   スラブコンクリート
１８Ａ 上面
２０   フランジ部
２２   第１接合手段
３０   折り返し部
３２   固定部材
３６   突起
４０   切り起こし片
４４   鉄筋
４８   折り曲げ部
５０   鋲
５２   端部折曲部
５４   起立壁
６２   噛合部
６４   スペーサ
７０   保持部
７４   シート
７８   線材
【図１】
2020066944.tif 000003
【図２】
2020066944.tif 000004
【図３】
2020066944.tif 000005
【図４】
2020066944.tif 000006
【図５】
2020066944.tif 000007
【図６】
2020066944.tif 000008
【図７】
2020066944.tif 000009
【図８】
2020066944.tif 000010
【図９】
2020066944.tif 000011
【図１０】
2020066944.tif 000012
【図１１】
2020066944.tif 000013
【図１２】
2020066944.tif 000014
【図１３】
2020066944.tif 000015
【図１４】
2020066944.tif 000016
【図１５】
2020066944.tif 000017
【図１６】
2020066944.tif 000018
【図１７】
2020066944.tif 000019
【図１８】
2020066944.tif 000020
【図１９】
2020066944.tif 000021
【図２０】
2020066944.tif 000022